(57)【要約】【課題】  表示装置において、インク色数が増えた場合には、どのインクタンクがなくなっているのかを使用者がすぐには判断しにくかった。また、使用者が自ら使用しているインク色の傾向も直感的につかみづらかった。【解決手段】  本発明は上述の問題点を解決するためのものであり、インク残量をインク色の色相を基に、円形に配置することにより、インク色数が多い場合でも、使用者がどのインクタンクの残量が少ないのかを直感的に把握しやすくする。【選択図】  図２
2007136723.tif 000002
【特許請求の範囲】
【請求項１】
複数色のインクタンクと、
各色のインクタンク残量を検知する検知手段と、
各色のインクタンク残量を表示する表示手段とを具え、
前記各色のインクタンク残量を表示する場合には、
各インク色を円形に配置することを特徴とする表示装置。
【請求項２】
前記円形配置をインク色の色相の順とすることを特徴とする請求項１に記載の表示装置。
【請求項３】
前記円形配置を各インク色に均等に配置するのではなく、インクタンク容量に比例して、各インク色を配置することを特徴とする請求項１に記載の表示装置。
【発明の詳細な説明】
【技術分野】
【０００１】
本発明はインクタンク残量やインク使用量を各色ごとに表示する場合、各色の表示すべき量を円形に配置する表示装置に関する。
【背景技術】
【０００２】
従来の複数色のインクタンク残量を表示する表示装置には、各色を横一列上に配して、棒グラフとして残量を示すようにしたものが一般的であった（例えば特許文献１、特許文献２参照。）。
【特許文献１】特開平０９−１５６１２５号公報
【特許文献２】特開２００１−２２２１４１号公報
【発明の開示】
【発明が解決しようとする課題】
【０００３】
しかしながら、上述のような方法では、インク色数が増えた場合には、どのインクタンクがなくなっているのかを使用者がすぐには判断しにくかった。また、使用者が自ら使用しているインク色の傾向も直感的につかみづらかった。
【０００４】
本発明は上述の問題点を解決するためのものであり、インク残量をインク色の色相を基に、円形に配置することにより、インク色数が多い場合でも、使用者がどのインクタンクの残量が少ないのかを直感的に把握しやすくする。
【課題を解決するための手段】
【０００５】
上記目的を達成するために、本出願に係る第１の発明によれば、複数色のインクタンクと、各色のインクタンク残量を検知する検知手段と、各色のインクタンク残量を表示する表示手段とを具え、前記各色のインクタンク残量を表示する場合には、各インク色を円形に配置することにより、インク色数が多い場合でも、使用者がどのインクタンクの残量が少ないのかを直感的に把握することが可能となる。
【０００６】
上記目的を達成するために、本出願に係る第２の発明によれば、前記円形に配置する場合に、インク色の色相を基にすることにより、インク色の色相による残量の傾向も容易に把握することが可能となる。
【０００７】
上記目的を達成するために、本出願に係る第３の発明によれば、前記円形配置を各インク色に均等に配置するのではなく、インクタンク容量に比例して、各インク色を配置することにより、インク残量表示のインク色の区別をさらに容易にすることが可能となる。
【発明の効果】
【０００８】
本出願に係る第１の発明によれば、複数色のインクタンクと、各色のインクタンク残量を検知する検知手段と、各色のインクタンク残量を表示する表示手段とを具え、前記各色のインクタンク残量を表示する場合には、各インク色を円形に配置することにより、インク色数が多い場合でも、使用者がどのインクタンクの残量が少ないのかを直感的に把握できるという効果がある。
【０００９】
本出願に係る第２の発明によれば、前記円形に配置する場合に、インク色の色相を基にすることにより、インク色の色相による残量の傾向も容易に把握できるという効果がある。
【００１０】
本出願に係る第３の発明によれば、前記円形配置を各インク色に均等に配置するのではなく、インクタンク容量に比例して、各インク色を配置することにより、インク残量表示のインク色の区別をさらに容易にするという効果がある。
【発明を実施するための最良の形態】
【００１１】
本発明の実施例を図面を参照して説明する。
【００１２】
［構成］
図１は本発明に係る表示装置100の概略内部構成を示す図である。表示装置100は内部バス115により相互接続されるCPU111、ROM112、FlashROM113、RAM114、ホストインターフェース116、表示部117、プリントヘッド118、インクタンク119、プリントヘッド駆動回路120、インクタンクセンサ121を具えている。ホストコンピュータ140は、ネットワーク130を通して、表示装置100にプリントジョブを転送する。表示装置100は、ホストインターフェース116を介してプリントジョブを受信して、RAM114に記憶する。そこから、プリントヘッド駆動回路120を介して、プリントヘッド118を制御し印刷を行う。インク色数としてJ色具えている表示装置においては、インクタンク119、インクタンクセンサ121がそれぞれJ個ずつあり、各色独立に制御できるようになっている。印刷が終わると、インクタンクセンサ121を使用して、各色のインク残量を計測し、表示部117において、インク残量表示を行う。
【００１３】
［円形インク残量表示］
図２は本発明に係る表示装置において、表示部117によって表示されるインク残量表示を示した図である。インク色数が12色だった場合についてを示しており、201から212までインク色の色相順にC1、・・・、C12とインク色の名前を示し、各領域内に網掛け部分として残量を示している。この図２の場合は、12色とも同じ大きさのインクタンク容量である場合のため、201から212まで円形が均等に分割されている。
【００１４】
図３は本発明に係る表示装置において、表示部117によって表示されるインク残量表示を示した図で、図２とほぼ同様であるが、インク色数が10色である場合を示しており、301から310までインク色の色相順にC1、・・・、C10とインク色の名前を示し、各領域内に網掛け部分として残量を示している。この図３の場合は、10色のうち、C1とC4のインクタンクがその他のインクタンクの二倍の大きさのため、インク残量を示す領域301と304の大きさも他のインクのところに比べ二倍の大きさになっている。
【図面の簡単な説明】
【００１５】
【図１】本発明の実施形態に係る表示装置と、ホストコンピュータの概略構成を示すブロック図である。
【図２】本発明に係る表示装置において、インクタンクの容量が全てのインク色で等しい場合のインク残量表示を示す図である。
【図３】本発明に係る表示装置において、インクタンクの容量がインク色によって異なる場合のインク残量表示を示す図である。
【符号の説明】
【００１６】
100  表示装置
111  CPU
112  ROM
113  FlashROM
114  RAM
115  内部バス
116  ホストインターフェース
117  表示装置
118  プリントヘッド
119  インクタンク
120  プリントヘッド駆動回路
121  インクタンクセンサ
【図１】
2007136723.tif 000003
【図２】
2007136723.tif 000004
【図３】
2007136723.tif 000005